(57)【要約】【課題】  消費電力を低減することができる冷却装置付きコンテナの段積方法およびコンテナヤードを提供すること。【解決手段】  コンテナヤードに段積された少なくとも一つ以上の冷却装置付きコンテナＣ１と熱源（日射、空気の対流、地熱等）との間に、複数のドライコンテナ（他のコンテナ）Ｃ２を配置する。ドライコンテナＣ２によって日射等が遮られることにより、冷却装置付きコンテナＣ１への熱の流入を抑える。【選択図】  図１
2005239359.tif 000002
【特許請求の範囲】
【請求項１】
コンテナヤードにて冷却装置付きコンテナを段積する方法であって、
前記コンテナヤードに段積された少なくとも一つ以上の冷却装置付きコンテナと熱源との間に、他のコンテナを配置することを特徴とするコンテナヤードにおける冷却装置付きコンテナの段積方法。
【請求項２】
前記冷却装置付きコンテナの少なくとも南側に、前記他のコンテナを段積することで日射を遮る遮蔽壁を形成することを特徴とする請求項１に記載の冷却装置付きコンテナの段積方法。
【請求項３】
前記他のコンテナにより形成された前記遮蔽壁を、前記冷却装置付きコンテナを取り囲んで設けることを特徴とする請求項２に記載の冷却装置付きコンテナの段積方法。
【請求項４】
前記冷却装置付きコンテナの上に他のコンテナを段積することを特徴とする請求項１から３のいずれかに記載の冷却装置付きコンテナの段積方法。
【請求項５】
前記冷却装置付きコンテナを他のコンテナ上に段積することを特徴とする請求項１から４のいずれかに記載の冷却装置付きコンテナの段積方法。
【請求項６】
前記冷却装置付きコンテナは冷蔵を行う冷蔵コンテナおよび冷凍を行う冷凍コンテナであり、前記熱源側に前記冷蔵コンテナを配置し、前記熱源から離れた側に前記冷凍コンテナを配置することを特徴とする請求項１から５のいずれかに記載の冷却装置付きコンテナの段積方法。
【請求項７】
冷却装置付のコンテナが段積される冷却装置付きコンテナ段積領域と、該冷却装置付きコンテナ段積領域の少なくとも南側にて該領域と該領域の外側とを区画する遮蔽壁とを備え、該遮蔽壁が他のコンテナにより構成されていることを特徴とするコンテナヤード。
【請求項８】
前記遮蔽壁が前記冷却装置付きコンテナ段積領域を取り囲んで設けられていることを特徴とする請求項７に記載のコンテナヤード。
【請求項９】
前記冷却装置付きコンテナ段積領域の上方に、日射を遮る遮蔽体が設けられ、該遮蔽体が他のコンテナにより構成されていることを特徴とする請求項７または８に記載のコンテナヤード。
【請求項１０】
前記冷却装置付きコンテナ段積領域内に位置し、上方に前記冷却装置付きコンテナが段積される遮蔽床が設けられ、該遮蔽床が他のコンテナにより構成されていることを特徴とする請求項７から９のいずれかに記載のコンテナヤード。
【発明の詳細な説明】
【技術分野】
【０００１】
本発明は、コンテナヤードにてコンテナの段積を行うための段積方法およびコンテナヤードに関する。
【背景技術】
【０００２】
図６は冷却装置を備えたコンテナの概略構成図である。この冷却装置は、コンテナの内部温度を、積荷Ｆを保管するのに適した範囲の所定温度に維持しながら、船舶、トラック、鉄道車両等に積載されて運搬されるものである。
【０００３】
図において、２はコンテナ内を冷却および加温する冷却ユニットであり、コンプレッサ３、コンデンサ４、コンデンサファン５、エバポレータ６、エバポレータファン７、図示略の膨張弁等より構成されている。冷却器ユニット２はコンテナの端壁に設けられ、仕切壁８によって庫内Ｓと隔てられている。仕切壁８と端壁の間には、コンテナの底面の吹出室９に通じる通風路９が設けられ、その通風路９にエバポレータ６およびエバポレータファン７が配置されている。
【０００４】
この冷却装置では、図示しないコントローラにて設定温度を入力して運転スイッチをＯＮすると、コントローラが冷却ユニット２を制御して、庫内温度を設定温度に近づけるように運転する。
【０００５】
図７は、コンテナが段積されるコンテナヤードである。コンテナヤードには複数のレーン１８が設けられており、一つのレーン１８に複数のコンテナＣが保管されている。またレーン１８には一台以上のクレーン２０が設置されている。
【０００６】
コンテナヤードには、主として冷却装置を備えないドライコンテナが複数載置されており、上記のような冷却装置付きコンテナは、冷却装置駆動用に電源を必要とするためにコンテナヤードの特定の個所に保管される。段積方法は平積みや２段積である。なお、以下においては冷却装置付きコンテナを符号Ｃ１，ドライコンテナを符号Ｃ２とする。
【特許文献１】特開平６−１２９７４４号公報
【特許文献２】特開平１０−１７５７０６号公報
【発明の開示】
【発明が解決しようとする課題】
【０００７】
冷却装置付きコンテナＣ１は、上記のように構成されていることでコンテナＣ１内部に侵入する外部からの熱を外に放熱することにより内部温度を所定範囲に保つ。しかしながらコンテナヤードにおいては、コンテナＣ１が太陽の日射やコンテナ外の空気の対流による大きな熱を受け、受けた熱を放熱するために大きな消費電力を必要とする問題があった。
【０００８】
本発明は上記事情に鑑みてなされたものであり、消費電力を低減することができる冷却装置付きコンテナの段積方法およびコンテナヤードを提供することを目的とする。
【課題を解決するための手段】
【０００９】
上記の課題を解決するための手段として、次のような構成の冷却装置付きコンテナの段積方法およびコンテナヤードを採用する。
請求項１に記載の発明は、コンテナヤードにて冷却装置付きコンテナを段積する方法であって、前記コンテナヤードに段積された少なくとも一つ以上の冷却装置付きコンテナと熱源との間に、他のコンテナを配置することを特徴とする。
【００１０】
この発明によれば、熱源として日射や熱せられた空気等が他のコンテナに遮られることで、冷却装置付きコンテナに対する熱源からの熱の流入が防止される。
他のコンテナとしてはいかなるものであってもよいが、好ましくは使用中ではない空のドライコンテナを用いればよい。
【００１１】
請求項２に記載の発明は、請求項１に記載の冷却装置付きコンテナの段積方法において、前記冷却装置付きコンテナの少なくとも南側に、前記他のコンテナを段積することで日射を遮る遮蔽壁を形成することを特徴とする。
【００１２】
本発明によれば、日射が差し込む方向である南側に他のコンテナによって遮蔽壁を形成することで、冷却装置付きコンテナを他のコンテナの陰に配置させる。これにより冷却装置付きコンテナに対する日射による熱の流入が防止される。
【００１３】
請求項３に記載の発明は、請求項２に記載の冷却装置付きコンテナの段積方法において、前記他のコンテナにより形成された前記遮蔽壁を、前記冷却装置付きコンテナを取り囲んで設けることを特徴とする。
【００１４】
本発明によれば、冷却装置付のコンテナが遮蔽壁に取り囲まれていることで、空気の対流が他のコンテナによって遮られる。したがって冷却装置付きコンテナに対する熱の流入が防止される。
【００１５】
請求項４に記載の発明は、請求項１から３のいずれかに記載の冷却装置付きコンテナの段積方法において、前記冷却装置付きコンテナの上に他のコンテナを段積することを特徴とする。
【００１６】
本発明によれば、冷却装置付のコンテナの上に段積された他のコンテナによって、上方からの日射が遮蔽される。これにより冷却装置付きコンテナに対する日射による熱の流入が防止される。
【００１７】
請求項５に記載の発明は、請求項１から４のいずれかに記載の冷却装置付きコンテナの段積方法において、前記冷却装置付きコンテナを他のコンテナ上に段積することを特徴とする。
【００１８】
この発明によれば、熱源としての地熱が他のコンテナに遮られることで、冷却装置付きコンテナに対する熱の流入が防止される。
【００１９】
請求項６に記載の発明は、請求項１から５のいずれかに記載の冷却装置付きコンテナの段積方法において、前記冷却装置付きコンテナは冷蔵を行う冷蔵コンテナおよび冷凍を行う冷凍コンテナであり、前記熱源側に前記冷蔵コンテナを配置し、前記熱源から離れた側に前記冷凍コンテナを配置することを特徴とする。
【００２０】
本発明によれば、温度域が低い冷凍コンテナを熱源から遠ざけて配置することで、冷却装置付きコンテナの冷却効果を更に向上させることができる。
【００２１】
請求項７に記載のコンテナヤードは、冷却装置付のコンテナが段積される冷却装置付きコンテナ段積領域と、該冷却装置付きコンテナ段積領域の少なくとも南側にて該領域と該領域の外側とを区画する遮蔽壁とを備え、該遮蔽壁が他のコンテナにより構成されていることを特徴とする。
【００２２】
本発明によれば、遮蔽壁が日射等の熱源を遮ることで、冷却装置付きコンテナ段積領域に段積された冷却装置付きコンテナへの熱の流入を抑える。また遮蔽壁自体を他のコンテナにより構成することで、従来のコンテナヤードにおいて容易に形成することができる。
他のコンテナとしてはいかなるものであってもよいが、好ましくは使用中ではない空のドライコンテナを用いればよい。
【００２３】
請求項８に記載の発明は、請求項７に記載のコンテナヤードにおいて、前記遮蔽壁が前記冷却装置付きコンテナ段積領域を取り囲んで設けられていることを特徴とする。
【００２４】
本発明によれば、冷却装置付きコンテナ段積領域に段積された冷却装置付のコンテナが遮蔽壁に取り囲まれていることで、空気の対流が遮られる。したがって冷却装置付きコンテナに対する熱の流入が防止される。
【００２５】
請求項９に記載の発明は、請求項７または８に記載のコンテナヤードにおいて、前記冷却装置付きコンテナ段積領域の上方に、日射を遮る遮蔽体が設けられ、該遮蔽体が他のコンテナにより構成されていることを特徴とする。
【００２６】
本発明によれば、遮蔽体によって上方からの日射が遮蔽される。これにより冷却装置付きコンテナに対する日射による熱の流入が防止される。遮蔽体は他のコンテナを用い、該他のコンテナを冷却装置付きコンテナの上に段積すればよい。
【００２７】
請求項１０に記載の発明は、請求項７から９のいずれかに記載のコンテナヤードにおいて、前記冷却装置付きコンテナ段積領域内に位置し、上方に前記冷却装置付きコンテナが段積される遮蔽床が設けられ、該遮蔽床が他のコンテナにより構成されていることを特徴とする。
【００２８】
この発明によれば、熱源としての地熱が遮蔽床（他のコンテナ）に遮られることで、冷却装置付きコンテナに対する熱の流入が防止される。
【発明の効果】
【００２９】
本発明によれば、外部から受ける熱を低減することができるから、冷却装置付きコンテナの消費電力を低減させることができる。
【発明を実施するための最良の形態】
【００３０】
次に本発明の実施形態について図面を参照して説明する。
図１に示したものは、コンテナヤードに載置された冷却装置付きコンテナＣ１であり、図の符号２５は冷却装置付きコンテナＣ１が段積される冷却装置付きコンテナ段積領域である。この冷却装置付きコンテナ段積領域２５の南側には、冷却装置付きコンテナ段積領域２５の内外を区画する遮蔽壁２６が設けられている。遮蔽壁２６はコンテナヤードの路面上にドライコンテナ（他のコンテナ）Ｃ２を積み上げて構成されている。なお、以下の各図では、冷却装置付きコンテナＣ１を白色で示し、ドライコンテナＣ２はパターン付きで示す。
これらドライコンテナＣ２および冷却装置付きコンテナＣ１の段積はクレーン２０により行われる。
また、遮蔽壁２６の段積高さは冷却装置付きコンテナＣ１よりも高くする。また冷却装置付きコンテナＣ１の段積高さは、遮蔽壁２６の陰に配置されるように北側ほど低くする。長手方向（東西方向）には、遮蔽壁２６の長さを少なくとも冷却装置付きコンテナ段積領域２５以上とする。
【００３１】
このように構成されていることにより、日射が遮蔽壁２６により遮られる。したがって、冷却装置付きコンテナＣ１への熱の流入を抑制することができ、冷却装置の消費電力を低減することができる。
また遮蔽壁２６がドライコンテナＣ２により構成されていることから、クレーン２０で容易に設置することができ、従来のコンテナヤードに対して容易に適用可能である。また遮蔽壁２６が不要になった際にも容易に解体することができる。
【００３２】
なお遮蔽壁２６は、北半球においては冷却装置付きコンテナ段積領域２５の南側に配置するが、南半球においては北側に配置する。
また、ドライコンテナＣ２としては、コンテナヤードの空コンテナ置き場（バン・プール）に保管されている使用されていない空のコンテナを利用することが好ましい。これによって新たな構成を追加することなく、従来からコンテナヤードに設けられている設備のみを使用して遮蔽壁２６を設置することができる。
なお遮蔽壁２６を構成する他のコンテナとしては、ドライコンテナＣ２の他に、使用されている（積荷を収容した）コンテナでもよい。また使用されておらず冷却装置が作動していない冷却装置付きコンテナであってもよい。以下の例でも同様である。
【００３３】
次に、図２に示した他の実施形態について説明する。本例では、冷却装置付きコンテナ段積領域２５の周囲四方にドライコンテナＣ２を配置して遮蔽壁２７とする。さらに冷却装置付きコンテナ段積領域２５に載置された冷却装置付きコンテナＣ１の上にドライコンテナＣ２を載せることで、日射を遮る遮蔽体２８とする。
このように構成することで、日射が遮蔽体２８により遮られ、空気の対流も遮蔽体２８および遮蔽壁２７によって阻害される。したがって、冷却装置付きコンテナＣ１への熱の流入を抑制することができ、冷却装置の消費電力を低減することができる。
また、遮蔽壁２７および遮蔽体２８は上記の例と同様に容易に設置・解体することが可能である。
なお、遮蔽体２８は上記及び以下に説明する各例に対して適用できるのは言うまでもない。
【００３４】
別の実施形態として、図３のように配置してもよい。図では、冷却装置付きコンテナ段積領域２５に載置された冷却装置付きコンテナＣ１の周囲を取り囲んでドライコンテナＣ２を配置し、該冷却装置付きコンテナ段積領域２５の内外を区画する遮蔽壁２９とする。ドライコンテナＣ２の段積高さは冷却装置付きコンテナＣ１より高くする。
これにより、空気の対流がドライコンテナＣ２によって阻害される。また日射も部分的に遮られる。したがって、冷却装置付きコンテナＣ１への熱の流入を抑制することができ、冷却装置の消費電力を低減することができる。
また、遮蔽壁２９は上記の例と同様に容易に設置・解体することが可能である。
【００３５】
また、別の実施形態として、図４のように配置してもよい。図では、冷却装置付きコンテナ段積領域２５に載置された冷却装置付きコンテナＣ１の周囲を取り囲んでドライコンテナＣ２を配置し、該冷却装置付きコンテナ段積領域２５の内外を区画する遮蔽壁３０とする。ドライコンテナＣ２の段積高さは冷却装置付きコンテナＣ１より高くする。また、冷却装置付きコンテナＣ１は中央部ほど段積高さを低く配置することで、全体としてすり鉢状となるようにする。
これにより、空気の対流がドライコンテナＣ２によって阻害される。また日射もドライコンテナＣ２によって遮られる。したがって、冷却装置付きコンテナＣ１への熱の流入を抑制することができ、冷却装置の消費電力を低減することができる。
また、遮蔽壁３０は上記の例と同様に容易に設置・解体することが可能である。
【００３６】
さらにまた、別の実施形態として、図５に示したように配置してもよい。図では、冷却装置付きコンテナ段積領域２５内に、上方に冷却装置付きコンテナＣ１が段積される遮蔽床３１が設けられている。遮蔽床３１はドライコンテナＣ２により構成されている。また、冷却装置付きコンテナ段積領域２５に載置された冷却装置付きコンテナＣ１の周囲を取り囲んでドライコンテナＣ２を配置し、該冷却装置付きコンテナ段積領域２５の内外を区画する遮蔽壁３２とする。ドライコンテナＣ２の段積高さは冷却装置付きコンテナＣ１より高くする。
【００３７】
このように構成することにより、空気の対流が遮蔽壁３２により阻害され、地熱の熱伝導が遮蔽床３１により阻害されるから、冷却装置付きコンテナＣ１への熱の流入を抑制して冷却装置の消費電力を低減することができる。
また、遮蔽床３１および遮蔽壁３２は上記の例と同様に容易に設置・解体することが可能である。
なお、本遮蔽床３１は上記の各例に適用することができるのは言うまでもない。
【００３８】
また、上記各例において、冷却装置付きコンテナＣ１の配置を以下のようにしてもよい。
冷却装置付きコンテナＣ１としては、温度の低い冷凍装置付きコンテナ（冷凍コンテナ）と、温度の高い冷蔵装置付のコンテナ（冷蔵コンテナ）とがあるが、より温度の低い冷凍コンテナを内側（熱源から遠い側）に配置し、その外側（熱源側）に冷蔵コンテナを配置する。すなわち温度域が低い冷凍装置付きコンテナＣ１を熱源から遠ざけて配置することで、冷凍装置付きコンテナＣ１の冷却効果を更に向上させることができ、全体として消費電力を更に低下させることができる。
また、上記の各例で示した各コンテナＣ１，Ｃ２の配置数、配置形状は、適宜変更可能であることは言うまでもない。
【図面の簡単な説明】
【００３９】
【図１】本発明の実施形態として示した冷却装置付きコンテナの段積状態について示した斜視図である。
【図２】同冷却装置付きコンテナの段積状態について示した斜視図である。
【図３】同冷却装置付きコンテナの段積状態について示した斜視図である。
【図４】同冷却装置付きコンテナの段積状態について示した斜視図である。
【図５】同冷却装置付きコンテナの段積状態について示した斜視図である。
【図６】冷却装置付きコンテナの概略構成図である。
【図７】コンテナヤードの全体を示した図である。
【符号の説明】
【００４０】
２５  冷却装置付きコンテナ段積領域
２６、２７，２９，３０，３２  遮蔽壁
２８  遮蔽体
３１  遮蔽床
Ｃ１  冷却装置付きコンテナ
Ｃ２  ドライコンテナ（他のコンテナ）
【図１】
2005239359.tif 000003
【図２】
2005239359.tif 000004
【図３】
2005239359.tif 000005
【図４】
2005239359.tif 000006
【図５】
2005239359.tif 000007
【図６】
2005239359.tif 000008
【図７】
2005239359.tif 000009